(57)【要約】      （修正有）【課題】封緘具を以って段ボール箱の蓋を閉じたとき、外蓋を押える部分が段ボール箱の蓋上に「出っ張り」となり、荷扱いするとき、他の箱に引っ掛かったり、封緘具自体が外れてしまうことがあり、それらの問題を回避できる段ボール箱を提供する。【解決手段】封緘具Ｐの出っ張りを治めるための部材Ｗ、並びに該部材を付帯した段ボール箱Ｇなどを揃え、上記の問題を解決すると同時に便利に使えるものにした。【選択図】図２０
2013082481.tif 000002
【特許請求の範囲】
【請求項１】
（イ）本発明は、段ボール箱の蓋を閉じるための封緘具、並びに同封緘具と段ボール箱との組み合せに関す、
（ロ）本封緘具は、内蓋と外蓋とを挟み合わせるかたち、あるいは挟み押えるかたちで蓋を閉じる封緘具である、
（ハ）本封緘具は、線材を折り曲げた形態を有して成り、正面から見るかたちに於いて、略コ字状あるいは略８字状に折れた２つの形枠を成す、
尚、２つの形枠は、横並びに連結されて成る、
（ニ）上記２つの形枠は、側面から見るかたちに於いて「略コ字状に折れた１つの形枠に見えるかたち」に連結される、
即ち、正面から見る２つの形枠は、それぞれ斜め向かいに向かい合うかたち、あるいは斜め向かいに挟み合うかたちに連結される、
（ホ）本封緘具を以って段ボール箱の蓋を閉じるとき、側面から見る形枠（挟み口）の向い合う２辺のうちの１辺を以って外蓋を押え、もう１辺を以って内蓋を押えて蓋を閉じる、
因みに、封緘の対象となる段ボール箱は、内蓋の付け根にかかる部位、あるいは付け根寄りの部位に抜き穴を有するものとし、該抜き穴を潜ることで内蓋を内側から押えることができる、
（ヘ）上記の如き特徴を有して成る封緘具、並びに同封緘具と段ボール箱との組み合わせ。
【請求項２】
（イ）本発明は、段ボール箱の蓋を閉じるための封緘具、並びに同封緘具と段ボール箱との組み合わせに関す、
（ロ）本封緘具は、内蓋と外蓋とを挟み合わせるかたち、あるいは挟み押えるかたちで蓋を閉じる封緘具である、
（ハ）本封緘具は、略コ字状あるいは略Ｕ字状に折り曲がり、裏表に向い合うかたち、あるいは挟み合うかたちを成す、
（ニ）向い合う（あるいは挟み合う）片方の側は、縦に延びたかたちを有して成り、もう片方の側は、縦に延びたかたちの部分と、横に延びたかたちの部分とを有して成る、
尚、横に延びたかたちの部分は、縦横に張るかたち、即ち、面を以って成る、
（ホ）本封緘具を以って段ボール箱の蓋を閉じるとき、横に延びたかたちを有する側を以って外蓋を押え、もう片方の側を以って内蓋を押えて蓋を閉じる、
因みに、封緘の対象となる段ボール箱は、内蓋の付け根にかかる部位、あるいは付け根寄りの部位に抜き穴を有するものとし、該抜き穴を潜ることで内蓋を内側から押えることができる、
（ト）上記の如き特徴を有して成る封緘具、並びに同封緘具と段ボール箱との組み合わせ。
【請求項３】
（イ）本発明は、段ボール箱の蓋を閉じるための封緘具、並びに同封緘具と段ボール箱との組み合わせに関す、
（ロ）本封緘具は、内蓋と外蓋とを挟み合わせるかたち、あるいは挟み押えるかたちで蓋を閉じる封緘具である、
（ハ）本封緘具は、略コ字状あるいは略Ｕ字状に折り曲がり、裏表に向い合うかたち、あるいは挟み合うかたちを成す、
（ニ）向い合う（あるいは挟み合う）片方の側を表押えと云い、もう片方の側を裏押えと云うとき、
表押えは、裏押えよりも縦に長く延びて成る、
（ホ）また、裏押えを向こう側にし、表押えを手前側にして見るとき、表押えは、表押えの正面手前側から、あるいは手前方から、裏押え（の内側面）に指を押し当て得るかたちの窓を有して成る、
即ち、本封緘具を挟み付ける際に、挟み付け口（挟み口の入り口）を押し広げることができるかたちを有して成る、
（ヘ）本封緘具を以って、段ボール箱の蓋を閉じるとき、表押えは外蓋を押え、裏押えは内蓋を押えて蓋を閉じる、
因みに、封緘の対象となる段ボール箱は、内蓋の付け根にかかる部位、あるいは付け根寄りの部位に抜き穴を有するものとし、該抜き穴を潜ることで内蓋を内側から押えることができる、
（ト）上記の如き特徴を有して成る封緘具、並びに同封緘具と段ボール箱との組み合わせ。
【請求項４】
（イ）本発明は、段ボール箱の蓋を閉じる封緘具の「出っ張り」を治めるための方法、並びに部材、並びに同部材と封緘具との組み合わせ、並びに同部材を付帯した段ボール箱に関す、
（ロ）内蓋と外蓋とを、挟み合わせるかたち、あるいは挟み押えるかたちで蓋を閉じる封緘具を用いたとき、外蓋を押える部分が外蓋の表面に「出っ張り」となる、この出っ張りは、該段ボール箱を「荷扱い」するとき、他の箱に引っ掛かって扱い難いことになる、
（ハ）本発明は、出っ張りを均し得る厚みと、出っ張りを均し得る形状をもった板部材を、外蓋の表面に付帯する方法によって出っ張りを治めるものである、
（ニ）本部材（板部材）は、出っ張りを治めるための手段として、封緘具と組み合う部分について、切り欠いたかたち、あるいは出っ張りに見合う深さの凹み、あるいは出っ張りを板厚の内に収め得るかたちを成す、
（ホ）本部材は、段ボール箱（の外蓋）に付帯させるもの、あるいは段ボール箱（の外蓋）に付帯した部分である、
（ヘ）上記の方法、並びに上記の如き特徴を有した部材、並びに同部材と封緘具との組み合わせ、並びに同部材を付帯した段ボール箱。
【請求項５】
（イ）本発明は、段ボール箱、並びに同段ボール箱と封緘具との組み合わせに関す、
（ロ）内蓋と外蓋とを挟み合わせるかたち、あるいは挟み押えるかたちで蓋を閉じる封緘具を用いたとき、外蓋を押える部分が外蓋の表面に「出っ張り」となる、この出っ張りは、該段ボール箱を「荷扱い」するとき、他の箱に引っ掛かって扱い難いことになる、
（ハ）本段ボール箱は、この出っ張りを治めるための構成として、外蓋に延長部を設け、該延長部を、外蓋の外側に折りたたんで、又は外蓋の内側に折りたたんで、外側（上側）になる部分と内側（下側）になる部分を成す、
（ニ）また、外側（上側）になる部分は、使用する封緘具に対応し、封緘具が取り付く部分あるいは封緘具を付け外しするための所要部分に切り欠きを成す、
（ホ）外側（上側）になる部分と、内側（下側）になる部分は、貼り合わされ、あるいは付け合わされ、出っ張りを収め得るかたちに形づくられる、
（ヘ）上記の如き特徴を有して成る段ボール箱、並びに同段ボール箱と封緘具との組み合わせ。
【請求項６】
（イ）本発明は、段ボール箱、並びに同段ボール箱と封緘具との組み合わせに関す、
（ロ）内蓋と外蓋とを挟み合わせるかたち、あるいは挟み押えるかたちで蓋を閉じる封緘具を用いたとき、外蓋を押える部分が外蓋の表面に「出っ張り」となる、この出っ張りは、該段ボール箱を「荷扱い」するとき、他の箱に引っ掛かって扱い難いことになる、
（ハ）本段ボール箱は、この出っ張りを治めるための構成として、外蓋に延長部を設け、該延長部を、外蓋の内側に折りたたんで、外蓋を、外側（上側）になる部分と、内側（下側）になる部分の二重の構成にし、封緘具（の表押え）は、内側になる部分を押えることで、外蓋の表面に出ないかたちをとるものである、
（ニ）また、外側（上側）になる部分は、使用する封緘具に対応し、封緘具が取り付く部分あるいは封緘具を付け外しするための所要部分に切り欠きを成す、
（ホ）上記の如き特徴を有して成る段ボール箱、並びに同段ボール箱と封緘具との組み合わせ。
【請求項７】
（イ）本発明は、段ボール箱の蓋を閉じる封緘具の「出っ張り」を治めるための方法、並びに部材、並びに同部材と封緘具との組み合わせ、並びに同部材と段ボール箱との組み合わせに関す、
（ロ）内蓋と外蓋とを、挟み合わせるかたち、あるいは挟み押えるかたちで蓋を閉じる封緘具を用いたとき、外蓋を押える部分が外蓋の表面に「出っ張り」となる、この出っ張りは、該段ボール箱を「荷扱い」するとき、他の箱に引っ掛かって扱い難いことになる、
（ハ）本発明は、出っ張りを収め得る厚みと、出っ張りを収め得る形状をもった板部材を、外蓋の上に添い合わせる方法により、出っ張りを治めるものである、
（ニ）本部材（板部材）は、出っ張りを治めるための手段として、封緘具と組み合う部分について、出っ張りに見合う深さの凹み、あるいは出っ張りを板厚の内に収め得るかたちを成す、
（ホ）上記の方法、並びに上記の如き特徴を有した部材、並びに同部材と封緘具との組み合わせ、並びに同部材と段ボール箱との組み合わせ。
【請求項８】
（イ）本発明は、段ボール箱の蓋を閉じる封緘具の「出っ張り」を治めるための方法、並びに部材、並びに同部材と封緘具との組み合わせ、並びに同部材を付帯した段ボール箱に関す、
（ロ）内蓋と外蓋とを、挟み合わせるかたち、あるいは挟み押えるかたちで蓋を閉じる封緘具を用いるとき、外蓋を押える部分が外蓋の表面に「出っ張り」となる、この出っ張りは、該段ボール箱を「荷扱い」するとき、他の箱に引っ掛かって扱い難いことになる、
（ハ）本発明は、封緘具と組み合う部分あるいは其の周辺部分について、「なだらかに均す」あるいは「滑らかに被う」方法により出っ張りを治めるものである、
（ニ）本部材は、この出っ張りを治めるための手段として、使用する封緘具に対応して、「封緘具を取り付ける部分の周辺を、突っ掛らないように、あるいは引っ掛からないように、なだらかに均す形態」、あるいは「封緘具を取り付ける部分と其の周辺を、突っ掛らないように、あるいは引っ掛からないように、滑らかに被う形態」を成す、
（ホ）本部材は、段ボール箱（の外蓋）に付帯させるもの、あるいは段ボール箱（の外蓋）に付帯する部分である、
（ヘ）上記の方法、並びに上記の如き特徴を有した部材、並びに同部材と封緘具との組み合わせ、並びに同部材を付帯した段ボール箱。
【請求項９】
（イ）本発明は、段ボール箱の蓋を閉じる封緘具の「出っ張り」を治めるための方法、並びに外蓋の板厚の内に差し込み穴を有した段ボール箱に関す、
（ロ）内蓋と外蓋とを挟み合わせるかたち、あるいは挟み押えるかたちで蓋を閉じる封緘具を用いるとき、外蓋を押える部分が外蓋の表面に「出っ張り」となる、この出っ張りは、該段ボール箱を「荷扱い」するとき、他の箱に引っ掛かって扱い難いことになる、
（ハ）本発明は、出っ張りが生じないための方法として、外蓋の板厚の内に差し込み穴をもつものとした、
（ニ）本発明（の段ボール箱）は、外蓋の板厚の内に、封緘具の外蓋を押える部分を、差し込み得る差し込み穴を設けて成る、
尚、該差し込み穴は、外蓋の長手方向の端から差し込む穴である、
（ホ）上記の方法、並びに外蓋の板厚の内に差し込み穴を有した段ボール箱。
【請求項１０】
（イ）本発明は、段ボール箱に設ける抜き穴に関す、
（ロ）内蓋と外蓋とを挟み合わせる、あるいは挟み押えるかたちで蓋を閉じる封緘具の内蓋を押える部分が、２本のものに対応するため、あるいは２本のものにも、１本のものにも、いずれのものにも対応できるよう、抜き穴として２穴あるいは複数穴の抜き穴を有す、
（ハ）尚、抜き穴は、内蓋の付け根にかかる部位、あるいは付け根寄りの部位に有す、
（ニ）上記の如き特徴を有して成る段ボール箱、並びに同段ボール箱と封緘具との組み合わせ。
【請求項１１】
（イ）段ボール箱の内蓋（の部分）を、保護あるいは補強するための部材、並びに同部材と段ボール箱との付け合わせ、
（ロ）あるいは内蓋（の部分）を、保護あるいは補強あるいは強化した段ボール箱。
【請求項１２】
（イ）内蓋が、箱内に垂れ下がるのを防ぐための措置を講じた段ボール箱、あるいは垂れ下がるのを防ぎ得る形態あるいは構成を有した段ボール箱、
（ロ）あるいは、外蓋の縁に、引き手となる窪み或いは凹みを有した段ボール箱。
【発明の詳細な説明】
【技術分野】
【０００１】
本発明は、段ボール箱の蓋を閉じるための封緘具と、同封緘具に関連する発明である。
【０００２】
本発明の封緘具は、内蓋と外蓋とを挟み押えるかたちで蓋を閉じる形態のものである。
【０００３】
この形態の封緘具は、外蓋を押える部分が外蓋の表面に「出っ張り」となる。この出っ張りは、段ボール箱を荷扱い（運ぶ、積み重ねるなどの扱い）するとき、他の箱に突っ掛かる、あるいは引っ掛かるなどの支障を生む。
【０００４】
本発明は、適切に使用できる封緘具を得ることと併せて、上記した「出っ張り」を治めることに関するものである。
【背景技術】
【０００５】
従来、外蓋と内蓋とを挟み合わせる、あるいは挟み押えるかたちで閉じる封緘具は、特許文献１〜７に示す如きものがある。うち、特許文献１〜５に示すものは、概ねコ字状の折り曲がりを以って挟み押える封緘具である。特許文献６、７に示すものは、概ねエ字状の形枠を以って挟み押える封緘具である。
【０００６】
これらの封緘具について、「挟み押える封緘具」と上記したが、これら従来の封緘具は、「挟み押える」と云うよりも「嵌め付ける」と云う方が当を得ているものである。即ち、バネの働きを以って挟み押えると云うよりも、嵌め枠を以って嵌め押えると云った方が当を得ているものである。云うなれば、バネの働き（バネの許容）が極めて小さい用具である。
【０００７】
特許文献３のもののみ、バネが働く形態（内に折れた案内片４を成した形態）を成しているが、特許文献１、２、４のものは、バネが殆んど働かないと云えるものである。また、特許文献５、６、７のものは、バネが全く働かないと云えるものである。
特許文献１〜７のものについて、バネが働くものにするために、仮に、嵌め付け口（挟み付け口）の幅（挟み幅）を狭めのものにしたとすれば、嵌め付ける（取り付ける）こと自体ができないものになる。また、緩く押えるものにすれば、抜け外れ易いものになる。
【０００８】
総じて、この形態のもの（特許文献１〜７のもの）は、嵌め付けた状態あるいは挟み付けた状態から抜け外れ易い欠点がある。
それ故に、特許文献１〜４の封緘具は、段ボール箱に挟み付けた状態から、不要に抜け外れないようにするための仕掛けを設けている。
【０００９】
特許文献１のものは、抜け外れ難くするために「爪部２０」を設けているが、抜き外し易くするための仕掛けをもつものになっていない。云うなれば、一旦取り付けたなら抜き外すことは困難であり、無理に抜き外すことになる。即ち、「差込口１６」を破損させるかたちで抜き外すことになる。
【００１０】
特許文献２のものは、抜け外れ難くするために「掛止部３、３’」を設けている。明細書には「開封する際は、抜き外す時点に於いて背面板を中心部に向けて左右から加圧すれば幅が狭められて、掛止部が段ボール箱側壁より外れるので、下面板を透孔より簡単に引き抜いて開封でき」と記載されているが、左右より加圧する（押すこと）は、何とか出来るとしても、同時に手前方向に引き抜くための引っ掛かりがなく、抜き外しは困難であり、実用に適するものでない。
【００１１】
特許文献３のものは、抜け外れ難くするために「係止突起５」を設けているが、抜き外すための手段が考えられていない。一旦取り付けた封緘具６は、特許文献１のものと同様、無理に（力任せに）抜き外すしかないものである。
【００１２】
特許文献４のものは、抜け外れ難くするために「抜止部８」を設けているが、抜き外し易くするための形態が適切に使用できるものになっていない。即ち、取外孔１２に指を挿入しようとしても外蓋に突き当たってしまい、現実的に挿入は困難である。仮に、指を挿入できたとしても、抜止部８の凸起を切欠部５から外す機能として働くものでなく、力任せに抜き外すしかないものである。
【００１３】
上記したように、特許文献１、２、３、４の何れのものも無理に抜き外すしかない不便を強いるものである。当然のこととして、段ボール箱に設けた抜き穴は破損することになる。即ち、段ボール箱は繰り返しの使用に適さない箱になる。
【００１４】
特許文献５、６、７、８のものは、抜け外れ難くする仕掛けも、抜き外し易くする仕掛けももつものでない。尚、それらの問題意識を提起しているものでもない。  然れど、挟み付け難いものか、抜け外れ易いものか、抜き外し難いものかの、いずれかの問題を内抱している。
上記したように、基本的な形態として、単に、コ字状あるいはエ字状の形枠を成した挟み具の場合、バネが硬く、挟み幅の許容（挟む対象の厚みに対する許容）が極めて小さいことから、相応の工夫が追加されない限り、しっかりした状態に挟み押えるものにはならない。また、しっかりした状態で取り付く（据え付く）ものにもならない。
【００１５】
以上に説明したように、従来の封緘具は、抜け外れ易いものである。それ故に、不要に抜け外れないようにするための工夫を加えているものもあるが、そのことが抜き外し難いものにしている。
然れど、例えば「挟み付け易く、不要に抜け外れ難く、抜き外し易く、その上しっかり挟み押え得る」ものに成し得たとしても、これらの封緘具が便利に使用されるためには別の問題が残る。
【００１６】
前記したように、これらの形態のものは、外蓋を押える部分が外蓋の表面上に「出っ張り」となり、荷扱いをするとき、この出っ張りが他の箱に引っ掛かるなど、その取り扱いに支障をきたすものである。
因みに、「出っ張り」が引っ掛かって、封緘具自体が抜け外れてしまう（あるいは抜き外されてしまう）ことも多い。
【００１７】
この出っ張りの問題を解決しようとしたものに、特許文献１のもの（封緘装置）がある。これは、外蓋を二重構造にして、外蓋を押える部分を、二重にした中間の空間部分に取り付けるものである。然し、この方法は幾つかの欠点がある。前記した問題のほか、封緘具（の外蓋を押える部分）を、二重構造にした板（２枚に重なる板）の板間に（即ち、板と板とが重なる板間を狙って）横方から差し込む取り付け方（挟み付け方）は、決して便利ではない。その上、封緘している状態（外蓋を押えている部分）が板間に隠れてしまい、封緘状態を一見して確認することができないなど、実用に適するものではない。
【先行技術文献】
【特許文献】
【００１８】
【特許文献１】実全昭５７−１８０６１９
【００１９】
【特許文献２】実開昭４８−８０９２３
【特許文献３】実全昭４９−６５６２８
【特許文献４】実開昭５０−２５９３１
【特許文献５】実全昭５０−９３２４
【００２０】
【特許文献６】実全昭４８−６６９２９
【特許文献７】実全昭５２−４４１２２
【００２１】
【特許文献８】実用新案出願公告昭４６−１９３３５
【特許文献９】実用新案登録第３０７３８７４号
【特許文献１０】特許第３９９５６９１号
【発明の概要】
【発明が解決しようとする課題】
【００２２】
段ボール箱の蓋を閉じる手段として、従来、ガムテープ、ホッチキス、接着剤を使うなどの手段がとられてきた。これらの手段は、箱の表面に出っ張りが生じないことから、荷扱いする上で都合が良い手段であった、あるいは荷扱いするための手段でもあった。
然れど、従来の手段は、一回限りの荷扱いの手段であり、繰り返し使用したいとする使い方に適さない。
本発明は、繰り返しの「荷扱い」に利用できるものとして、ガムテープ、ホッチキス、接着剤などの代わりに封緘具を用いて、内蓋と外蓋とを、挟み合わせる、あるいは挟み押える（以下、挟み押えると云う）方法を以って蓋を閉じるものである。
但し、この方法は、前記したように外蓋を押える部分が外蓋の上に出っ張りとなり、荷扱いの妨げとなる。
本発明は、段ボール箱に、上記の出っ張りを治めるための手立てを講じ、繰り返しの「荷扱い」に使用できるものを得ることである。
【００２３】
具体的な課題としては、内蓋と外蓋とを挟み押える（蓋を閉じる）ための適切な封緘具（留め具）を得ること、及び外蓋を押える部分の「出っ張り」を治めるための適切な手立てを得ることである。
【課題を解決するための手段】
【００２４】
本発明が、対象とする段ボール箱について説明する。
対象とする段ボール箱は、図１、２、３に示す如きに内蓋と外蓋を有し、内蓋と外蓋とが重なり合う形態を有したもので、その代表的なものが図１に示すものである。
尚、本発明で云う段ボール箱とは、箱材として段ボール板を使用するものに限らず、蓋の形態が上記したように内蓋と外蓋が重なり合うものを含めて「段ボール箱」と総称する。
因みに、請求項の記載に於いても同様とする。
【００２５】
封緘具と段ボール箱との係わりを説明する。
本発明の封緘具は、内蓋と外蓋とを挟み押えるかたちで蓋を閉じるものである（図４参照）。
内蓋と外蓋を挟み押えるかたちで蓋を閉じる封緘具は、概ね、２つに分類することが出来る。
１つは、特許文献１〜７に示す如きに、段ボール箱の側方から取り付けるもの、もう１つは特許文献８〜１０に示す如きに、２枚（一対）の外蓋の合わせ目から取り付けるものである。
前者のものは、内蓋を押えるために、段ボール箱に抜き穴を必要とするが、後者のものは、抜き穴を必要としない。
本発明の封緘具は、前者のものであって、段ボール箱に、抜き穴を要するものである。
因みに、対象とする段ボール箱は、内蓋の付け根にかかる部位、あるいは付け根寄りの部位に抜き穴を有するものとし、該抜き穴を潜ることで内蓋を内側から押えるものである。
【００２６】
本発明の封緘具について説明する。
本封緘具は、形態Ａ、形態Ｂ、形態Ｃ、形態Ｄの４つがある。
【００２７】
形態Ａは、図５、６、７、８に示す如きものである。
（ａ）形態Ａの封緘具は、線材を折り曲げた形態を有して成り、正面から見るかたちに於いて、略コ字状あるいは略８字状（図８参照）に折れた２つの形枠を成す、
尚、２つの形枠は、横並びに連結されて成る、
（ｂ）上記２つの形枠は、側面から見るかたちに於いて「略コ字状に折れた１つの形枠に見えるかたち」に連結される、
即ち、正面から見る２つの形枠は、それぞれ斜め向かいに向かい合うかたち、あるいは斜め向かいに挟み合うかたちに連結される、
（ｃ）本封緘具を以って段ボール箱の蓋を閉じるとき、側面から見る形枠（挟み口）の向い合う２辺のうちの１辺を以って外蓋を押え、もう１辺を以って内蓋を押えて蓋を閉じる、
（ｄ）上記の如き特徴を有して成る封緘具である。
【００２８】
形態Ｂは、図９、１０、１１、１８、１９に示す如きものである。
（ａ）形態Ｂの封緘具は、略コ字状あるいは略Ｕ字状に折り曲がり、裏表に向い合うかたち、あるいは挟み合うかたちを成す、
（ｂ）向い合う（あるいは挟み合う）片方の側（裏押え）は、縦に延びたかたちを有して成り、もう片方の側（表押え）は、縦に延びたかたちの部分と、横に延びたかたちの部分とを有して成る、
尚、横に延びたかたちの部分は、縦横に張るかたち、即ち、面を以って成る、
（ｃ）本封緘具を以って段ボール箱の蓋を閉じるとき、向い合う片方の側（表押え）を以って外蓋を押え、もう片方の側（裏押え）を以って内蓋を押えて蓋を閉じる、
（ｄ）上記の如き特徴を有して成る封緘具である。
【００２９】
形態Ｃは、図９、１０、１１、１２、１４、１６(２)に示す如きものである。
（ａ）形態Ｃの封緘具は、略コ字状あるいは略Ｕ字状に折り曲がり、裏表に向い合うかたち、あるいは挟み合うかたちを成す、
（ｂ）向い合う（あるいは挟み合う）片方の側を表押えと云い、もう片方の側を裏押えと云うとき、表押えは、裏押えよりも縦に長く延びて成る、
（ｃ）また、裏押えを向こう側にし、表押えを手前側にして見るとき、表押えは、表押えの正面手前側から、あるいは手前方から、裏押え（の内側面）に指を押し当て得るかたちを有して成る、
即ち、本封緘具を挟み付ける際に、挟み付け口（挟み口の入り口）を押し広げることができるかたちを有して成る、
（ｄ）本封緘具を以って、段ボール箱の蓋を閉じるとき、表押えは外蓋を押え、裏押えは内蓋を押えて蓋を閉じる、
（ｅ）上記の如き特徴を有して成る封緘具である。
【００３０】
形態Ｄは、図１４、１５、１６に示す如きものである。
（ａ）形態Ｄの封緘具は、略コ字状あるいは略Ｕ字状に折り曲がり、裏表に向い合うかたち、あるいは挟み合うかたちを成す、
（ｂ）内蓋を押える側が、２本に延びるかたちを以って成る、
あるいは外蓋を押える側が、別々に働くバネを有した２本で成る、
（ｃ）上記の如き特徴を有して成る封緘具である。
【００３１】
以上に、封緘具について説明した。
【００３２】
以下に、外蓋を押える部分の出っ張りを治める方法について説明する。
封緘具の出っ張りを治める方法は、方法１、方法２、方法３、方法４、方法５の５つがある。
【００３３】
方法１は、図２０、２１、２２、２３、２４、２５、２６、２７を以って説明するものである。
（ａ）本発明は、出っ張りを均し得る厚みと、出っ張りを均し得る形状をもった板部材を、外蓋の表面に付帯する方法によって出っ張りを治めるものである、
（ｂ）本部材（板部材）は、出っ張りを治めるための手段として、封緘具と組み合う部分について切り欠いたかたち、あるいは出っ張りに見合う深さの凹み、あるいは出っ張りを板厚の内に収め得るかたちを成す、
（ｃ）本部材は、段ボール箱（の外蓋）に付帯させるもの、あるいは段ボール箱（の外蓋）に付帯した部分である、
（ｄ）上記の方法、並びに上記の如き特徴を有した部材、並びに同部材と封緘具との組み合わせ、並びに同部材を付帯した段ボール箱である。
【００３４】
尚、図２２、２４、２５、２６、２７を以って説明するものは、方法１を具現するためのかたちが、本体部分と一体に板取りされ（切り出され）た上で形成される段ボール箱である。
（ａ）本段ボール箱は、この出っ張りを治めるための構成として、外蓋に延長部（Ｇ5）を設け、該延長部を、外蓋の外側に折りたたんで、または外蓋の内側に折りたたんで、外側（上側）になる部分と内側（下側）になる部分を成す、
（ｂ）また、外側（上側）になる部分は、使用する封緘具に対応し、封緘具が取り付く部分あるいは封緘具を付け外しするための所要部分に切り欠きを成す、
（ｃ）外側（上側）になる部分と、内側（下側）になる部分は、貼り合わされ、あるいは付け合わされ、出っ張りを収め得るかたちに形づくられる、
（ｄ）上記の如き特徴を有して成る段ボール箱である。
【００３５】
方法２は、図２５、２６、２７を以って説明する段ボール箱である。
（ａ）本段ボール箱は、この出っ張りを治めるための構成として、外蓋に延長部（Ｇ5）を設け、該延長部を、外蓋の内側に折りたたんで、外蓋を、外側（上側）になる部分と、内側（下側）になる部分の二重の構成にし、封緘具（の表押え）は、内側になる部分を押えることで、外蓋の表面に出ないかたちをとるものである、
（ｂ）また、外側（上側）になる部分は、使用する封緘具に対応し、封緘具が取り付く部分あるいは封緘具を付け外しするための所要部分に切り欠きを成す、
（ｃ）上記の如き特徴を有して成る段ボール箱である。
【００３６】
方法３は、図２８、２９、３０、３１を以って説明するものである。
（ａ）本発明は、出っ張りを収め得る厚みと、出っ張りを収め得る形状をもった板部材を、外蓋の上に添い合わせる方法により、出っ張りを治めるものである、
（ｂ）本部材（板部材）は、出っ張りを治めるため、封緘具と組み合う部分について、出っ張りに見合う深さの凹み、あるいは出っ張りを板厚の内に収め得るかたちを成す、
（ｃ）上記の方法、並びに上記の如き特徴を有した部材、並びに同部材と封緘具との組み合わせ、並びに同部材と段ボール箱との組み合わせである。
【００３７】
方法４は、図３２、３３、３４、３５を以って説明するものである。
（ａ）本発明は、封緘具と組み合う部分あるいは其の周辺部分について、「なだらかに均す」あるいは「滑らかに被う」方法により出っ張りを治めるものである、
（ｂ）本部材は、出っ張りを治める手段として、使用する封緘具に対応して、「封緘具を取り付ける部分の周辺を、突っ掛らないように、あるいは引っ掛からないように、なだらかに均す形態」、あるいは「封緘具を取り付ける部分と其の周辺を、突っ掛らないように、あるいは引っ掛からないように、滑らかに被う形態」を成す、
（ｃ）本部材は、段ボール箱（の外蓋）に付帯させるもの、あるいは段ボール箱（の外蓋）に付帯する部分である、
（ｄ）上記の方法、並びに上記の如き特徴を有した部材、並びに同部材と封緘具との組み合わせ、並びに同部材を付帯した段ボール箱である。
【００３８】
方法５は、図３６、３７、３８、３９を以って説明するものである。
（ａ）本発明は、出っ張りが生じないための方法として、外蓋の板厚の内に差し込み穴をもつものとしたことである、
（ｂ）本発明（の段ボール箱）は、外蓋の板厚の内に、封緘具の外蓋を押える部分を、差し込み得る差し込み穴を設けて成る、
尚、該差し込み穴は、外蓋の長手方向の端から差し込む穴である、
（ｃ）上記の方法、並びに外蓋の板厚の内に差し込み穴を有した段ボール箱である。
【発明の効果】
【００３９】
１、挟み押えるバネが適切に働く封緘具を得たこと。
２、外蓋を押える部分の「出っ張り」を治めるための適切な方法、並びに手段を得たこと。
３、その結果、荷扱いに適した段ボール箱（と封緘具との組み合わせ）を得たことである。
【図面の簡単な説明】
【００４０】
【図１】対象とする段ボール箱の１つを示す図である。
【図２】対象とする段ボール箱の１つを示す図である。
【図３】対象とする段ボール箱の１つを示す図である。
【図４】段ボール箱と封緘具との係りを示す図である。
【図５】本発明の封緘具の１つを示す図である。
【図６】本発明の封緘具の１つを示す図である。
【図７】本発明の封緘具の１つを示す図である。
【図８】本発明の封緘具の１つを示す図である。
【図９】本発明の封緘具の１つを示す図である。
【図１０】本発明の封緘具の１つを示す図である。
【図１１】本発明の封緘具の１つを示す図である。
【図１２】本発明の封緘具の１つを示す図である。
【図１３】図１２に示した封緘具を以って蓋を閉じる様子を示す図である。
【図１４】本発明の封緘具の１つを示す図である。
【図１５】図８に示した封緘具を以って蓋を閉じる様子を示す図である。
【図１６】本発明の封緘具の１つを示す図である。
【図１７】図１６に示した封緘具を以って蓋を閉じる様子を示す図である。
【図１８】本発明の封緘具の１つを示す図である。
【図１９】本発明の封緘具の１つを示す図である。
【図２０】封緘具の出っ張りを治める部材の１つを示す図である。
【図２１】封緘具の出っ張りを治める部材の１つを示す図である。
【図２２】出っ張りを治める段ボール箱の１つを示す図である。
【図２３】出っ張りを治める部材の１つを示す図である。
【図２４】出っ張りを治める段ボール箱の１つを示す図である。
【図２５】出っ張りを治める段ボール箱の１つを示す図である。
【図２６】図２５に示した段ボール箱について蓋を閉じる様子を示す図である。
【図２７】出っ張りを治める段ボール箱の１つを示す図である。
【図２８】出っ張りを治める部材の１つを示す図である。
【図２９】出っ張りを治める部材の１つを示す図である。
【図３０】図２９に示した部材に組み合わせる封緘具を示す図である。
【図３１】図２８、２９に示した部材の裏側面を示す図である。
【図３２】出っ張りを治める部材の１つを示す図である。
【図３３】図３２に示した部材を使用した様子を示す図である。
【図３４】出っ張りを治める部材の１つを示す図である。
【図３５】図３４に示した部材を使用した様子を示す図である。
【図３６】差し込み穴を設けた段ボール箱の１つを示す図である。
【図３７】図３６に示した段ボール箱について蓋を閉じる様子を示す図である。
【図３８】差し込み穴を設けた段ボール箱の１つを示す図である。
【図３９】図３８に示した段ボール箱について蓋を閉じる様子を示す図である。
【図４０】内蓋を保護する部材の１つを示す図である。
【図４１】内蓋を保護する部材の１つを示す図である。
【図４２】外蓋の縁（付け根寄り）に切り込みを設けた段ボール箱である。
【発明を実施するための形態】
【００４１】
以下、図を追って、本発明を説明する。
本発明を説明する上で、図を見たままの状態で、上、下、縦、横、左、右、向こう、手前、裏、表の意味を使い分ける。
図４および封緘具（図５〜１２、１４、１６、１８、１９）以外は、斜視図である。依って、「斜視図である」とする説明は省略する。
【００４２】
本明細書ならびに請求範囲の記載で使用した、「方法」と「手段」の文言の意味について説明する。
方法は、「いくつかの手段を束ねた」意味で使用した。即ち、方法の意味は、手段の意味よりも、上位概念の技術思想として位置付け、手段となる記載内容（構成、形状、形態など）は、その方法を具体化する１つのかたちとして記載しているものである。
【００４３】
以下の記載は、前段で、内蓋と外蓋とを挟み押えるための用具（即ち、封緘具）について説明し、後段で、封緘具の出っ張りを治めるための手立てについて説明する。
【００４４】
図１、２、３は、本封緘具が対象とする段ボール箱を示したものである。
【００４５】
図１(１)に示すものは、本発明（の封緘具）が対象とする段ボール箱の代表的な形態を成すもので、２枚の内蓋と、２枚の外蓋を有する箱である。
図１(２)は、図５に示した封緘具を以って、蓋を閉じる様子を示したものである。
【００４６】
図２(１)に示すものは、ティッシュペーパーの箱として使用されているもので、箱本体の側面に蓋を有するものである。
図２(２)は、図１１に示した封緘具を以って蓋を閉じる様子を示したものである。
【００４７】
図３(１)は、外蓋が１枚で成る箱である。
図３(２)は、図７(１)に示した封緘具を以って蓋を閉じる様子を示したものである。
【００４８】
図１、２、３で示した如きに、内蓋と外蓋とがあり、内蓋と外蓋が重なり合う形態を有した箱が、本発明が対象とする段ボール箱である。
【００４９】
図４は、封緘具と段ボール箱との係わりを示す図である。
図４は、段ボール箱の内蓋と外蓋とが重なり合った状態の断面（部分図）と、封緘具を側面から見たかたち（コ字状に折り曲がったかたち）を示した図である。
段ボール箱は、内蓋の付け根に懸かる部位（蓋を閉じた状態に於ける内蓋の内側面の延長線上にかかる部位）あるいは内蓋の付け根寄りの部位に抜き穴をもつ。
封緘具(Ｐ)は、図４に示す体勢で段ボール箱の蓋を閉じる（封緘する）、即ち、図４に示す体勢で内蓋と外蓋とを挟み押える。
【００５０】
抜き穴は、大きく分けて２つの形態がある。
１つは、図１、３に示す如きに、箱本体の側面部（壁面部）に設ける穴(Ｇ4)である。もう１つは、図１３(１)に示す如きに、箱本体の側面部から内蓋にかかる部分まで切り欠いた穴(Ｇ4)である。
前者の穴（抜き穴）の場合は、挟み付ける封緘具の連結部（コ字状に折り曲がる部分）が箱本体の側面（外側）に出っ張りとなる。後者の穴（抜き穴）の場合は、挟み付ける封緘具の背部（コ字状に折り曲がる部分）は出っ張らないかたちで挟み付けることができる。
尚、本明細書は、主に前者の抜き穴を以って説明しているが、どちらの抜き穴にするかは任意の選択で良い。
【００５１】
図５、６、７、８は、線材を折り曲げた形態を有して成る封緘具である。
【００５２】
図５は、縦に長く延びる側と、縦に短く延びる側とで挟み合う形態を成すもので、縦に短く延びる側で、略コ字状に折り曲がった２つの形枠を連結している形態のものである。尚、連結する部分の横幅（間隔）は任意に決めて良い。
図５(１)は、正面図である。図５(２)は、側面図である。
【００５３】
図６は、縦に長く延びる側と、縦に短く延びる側とで挟み合う形態を成すもので、縦に長く延びる側で、略コ字状に折り曲がった２つの形枠を連結して成る形態のものである。尚、連結する部分の横幅（間隔）は任意に決めて良い。
図６(１)は、正面図である。図６(２)は、側面図である。
【００５４】
図７は、縦に長く延びる側と、縦に短く延びる側とで挟み合う形態を成すもので、略コ字状の２つの形枠を成す折り曲がりの両端（線材の両端）が、左右の内側に折り曲がるかたちを成したものである。
これに対して、図５、６に示したものは、線材の両端が左右の外側に折り曲がるかたちを成したものである。
図７(１)は、正面図である。図７(２)は、図７(１)の側面図である。図７(３)は、正面図である。図７(４)は、図７(３)の側面図である。図７(５)は、正面図である。図７(６)は、図７(５)の側面図である。図７(７)は、正面図である。図７(８)は、図７(７)の側面図である。
【００５５】
図５、６、７に示すものは、側面から見るかたちで向い合う両辺のどちら側を表押え（外蓋を押える側）として使用しても、どちら側を裏押え（内蓋を押える側）として使用しても良いものである。
【００５６】
図８は、正面から見るかたちとして、略８字状に折り曲がった形態を成すものである。但し、折り曲がりの両端部分は、縦真っ直ぐあるいは縦真っ直ぐ方向に延びるかたち（抜き穴に差し込めるかたち）を成すものである。
図８(１)は、正面図である。図８(２)は、図８(１)の側面図である。図８(３)は、正面図である。図８(４)は、図８(３)の側面図である。
【００５７】
図５〜８のものは、線材を折り曲げて成したものである。実施例に於いては、＃１２（２.６〜２.５ミリ）、＃１０（３.２〜３.１ミリ）の鉄線を使用したが、任意の選択で良い。金属線を用いる場合は、取扱う上での危険を防ぐため、必要により先端（切断部分）をまるめ折るなどの措置をとっても良い。
尚、必ずしも金属線を折り曲げて成すものでなくても良い。即ち、請求の範囲は、金属に代わる素材を以って成すものを含めたものである。
因みに、「線材」と云う表現は、金属線を意味することから、請求項の記載に於いては、「線材で成る」とせず、「線材を折り曲げた如き形態を有して成る」とする意味合いのもと、「線材を折り曲げた形態を有して成る」と記載した。  
【００５８】
図５、６、７、８に示した封緘具について、請求項の記載で「略コ字状に折れた…」としている。
バネが効果的に働くかたちとして、できるだけコ字状に折り曲がることが望ましいが、正面から見るかたちに於いて、コ字状に折れる間隔（横幅）を狭い幅に設定した場合など、製作上の都合から、コ字状でなく、Ｕ字状に折り曲がるものに妥協することもあることから、本発明で云うコ字状はＵ字状を含むものとする。
図５〜８で云う「コ字状」のかたちは、挟み口の最奥まで挟み付けることができ、そのことによって挟み幅が適切に押し広げられ、挟み口の最奥でもバネが働くかたちとして意義をもつ。
図５〜８に示すものは、正面から見る２つの形枠が、それぞれ別々に働くバネを成すものである。
因みに、図９、１０、１１、１２、１４、１６、１８、１９に示したものについても、理由は異なるが（箱の外側に出っ張る部分が小さくなるよう）、できるだけコ字状に折り曲がったものにするのが良い。
【００５９】
図５、６、７、８に示したものについて、それぞれの側面図で見るように、挟み付け口（挟み口の入り口）に向けて徐々に挟み幅が狭まるかたちを示したが、この形態（斜め向かいに挟み合う形態）のものの場合は、この限りでなく、挟み口の奥から挟み付け口にかけて同じ挟み幅であっても良い。
【００６０】
図９は、表押えが、縦に延びるかたちの部分とともに、向かい合う２枚の外蓋を横渡しに押えるかたちとして、横に延びるかたちの部分をもつものである。
図９(１)は、斜視図である。図９(２)は、裏側（裏押え側）から見た正面図である。図９(３)は、側面図である。  
【００６１】
縦に延びるかたち（縦細の形態）は、２本の指で摘みもち易い。また、縦細の状態でコ字状あるいはＵ字状に折り曲ることに依り、バネが柔軟に働き易くなる。更に、図９(３)に示すように、側面から見るかたちに於いて挟み付け口に向けて徐々に挟み幅が狭まるかたちにして、バネが効果的に働く（応力が効果的に生ずる）ものにしている。
【００６２】
挟み付け口に向けて徐々に挟み幅が狭まったものは、挟み付け難いことになるが、本封緘具は、挟み付けに際して挟み付け口を押し広げられるよう、図９(１)に示すように、つまみもつ辺りの部分について、表押え側を、裏押え側の横幅よりもやや狭い幅にしている。
【００６３】
ここで挟み付ける際の操作について説明する。
本封緘具は、基本的なかたちとして挟み付け易くするための手懸りをもつものとしている。即ち、挟み付け口を押し広げるための手懸り（あるいは窓）をもつものにしている。
本封緘具は、図９(１)で示すように、表押えを手前側、裏押えを向こう側にして正面から見るかたちで、表押えの左右の脇の切り欠いた部分から、裏押えの左右の縁が覗き見えるかたちを成したものにしている。
本封緘具を挟み付ける際には、表押えの先端部分（裏押えよりも縦に長く延びた部分）を、段ボール箱（の抜き穴を有した部位）の上縁に押し当てた上で、裏押え（の上記した覗き見える部分）を下押しして、挟み付け口（挟み口の入り口）を押し広げ加減に押し込むことで、スムーズに挟み付けることができる。
【００６４】
図９に示したものと同様に、図１４、１６(２)に示すものも、表押えの左右の脇を切り欠き、表押えの手前方から裏押え側を押し退ける（即ち、挟み付け口を押し広げる）ことができるものにしている。
また、図１０、１１、１２については、表押えの中程の位置（左右の中間位置）に、指先を押し当てる窓(Ｐ4)を設けて、裏押え側を押し退ける（即ち、挟み付け口を押し広げる）ことができるものにしている。
因みに、図５、６、７、８に示したものも、上記の機能（あるいは形態）をもつものである。
【００６５】
尚、表押えの下半部分から、裏押え側にかけて細幅（縦細）で折り曲がるかたちは、上記したようにバネが効果的に働き易くなるとともに、段ボール箱の抜き穴に差し込み易いこと、更に、抜き穴を保護する使い方ができる。
【００６６】
図１０は、図９のものを発展させたもので、裏押えの先端を指先で下押しできる程の窓をもたせたものである。
図１０(１)は、斜視図である。図１０(２)は、側面図である。
【００６７】
図１１は、図９、１０に示したものを線材で成した（置き換えた）ものである。材質の違い、様態の違い、見た目の違いなどはあっても良い（任意の設定で良い）ことを説明しているものである。
図１１(１)は、斜視図である。図１１(２)は、側面図である。
【００６８】
図１１に示した封緘具を使用した様子を、図２(２)に示した。
図２(２)に示したように、抜き穴をもたない箱に挟み付ける用途のものにする場合は、裏押えの先端を尖ったかたち（突き刺せるかたち）にしておくと良い。
【００６９】
図１２は、従来のもの（特許文献１〜５のもの）に対して説明するものである。
従来のものは、前記したようにバネの働きが硬いので、コ字状に折り曲がる部分だけでも、図１２に示すように、細幅を以って成るようにすることが望ましい。
更には、図に示すように、表押えの側に、裏押え側を下押しする窓を設けること、側面から見るかたちとして、挟み付け口に向けて徐々に狭まった形態の挟み口にすることなどに依って、抜け外れ難く、付け外しし易く、しっかりと蓋を閉じる（内蓋と外蓋を挟み押える）ことができるものになる。
図１２(１)は、斜視図である。図１２(２)は、裏側から見た斜視図である。図１２(３)は、側面図である。
【００７０】
図１３(２)は、図１２に示した封緘具を以って、段ボール箱の蓋を閉じる様子を示すものである。図１３(１)は、封緘具を挟み付ける前の段ボール箱で、抜き穴のかたちを説明するものである。
図１３(１)に示す如きに、「内蓋にかかる穴」にした場合は、封緘具を、段ボール箱の側面に出っ張りを生じないかたちで挟み付けることができる。
【００７１】
図１４は、図１２に対して示すものである。
図１２に示したものが、表押えの中ほどに窓を設けたものであるのに対し、図１４に示すものは、表押えの両横に裏押えを下押しできる程の切り欠きを設けたものである。
図１４(１)は、斜視図である。図１４(２)は、側面図である。
【００７２】
図１４に示したものは、２本に分けた裏押えをもつものである。２本に分けることによって、表押えの横幅（一対の外蓋を横渡しに押える幅）を広めに（充分な幅に）成す上で、都合の良い構成になる。即ち、２本にすることによって、抜き穴を不要に大きくすることなく、安定して据え付く構成のもとに、表押えの横幅を大きめに成すことができる。
【００７３】
図１５は、図１４に示したものを線材に置き換えたもの（図８に示したもの）を使用して蓋を閉じる様子を示す図である。
線材に置き換えたものは、斜め向かいに向い合うかたち、即ち、斜め向かいに挟み合うものになる。このことは大きな機能が加わることを意味する。
【００７４】
その機能について説明する。
図５、６、７、８に示した封緘具は、「斜め向かいに挟み合うバネ」を有した挟み具である。
これに対して、図９、１０、１１、１２、１４、１６、１８、１９に示した封緘具は、「正面向かいに挟み合うバネ」を有した挟み具である。
前者のものは、表押えと裏押えとをつなぐ部分（コ字状に連結する部分）の幅を、例えば、図８(１)で見るとき、図８(２)で示す幅よりも幅広になっている。即ち、正面から見る幅は、側面から見る幅よりも広幅になっている。この幅の違いこそは、挟む対象の厚みに対応するための挟み幅の余裕である。同時に、挟み付くためのバネを生む根源となるものである。
即ち、図１５で使用の封緘具(Ｐ)は、挟む対象の厚みに対し、図８(２)に示す幅から図８(１)に示す幅に近づくまでの許容をもつものである。
因みに、図５、６、７、８に示したものは、それぞれが此の機能を有している。
【００７５】
図１６は、片方の側が縦横の幅をもって（即ち、面を成して）延びるかたちを成し、もう片方の側が縦２本に延びるかたちを成したものである。
図１６(１)は、斜視図である。図１６(２)は、裏側から見た斜視図である。
因みに、図５、６、７、８に示したものも、それぞれが縦２本の足（縦細く延びるかたち）をもつものである。また、設計によっては、図５に示したものの如きに、相手側に、更に、縦１本になる足をもつものにもなる。
【００７６】
図１７(１)は、図１６(１)に示した状態、即ち、縦横の幅を以って（面を成して）延びる側を、外蓋を押える側（表押え）として使用した例を示すものである。
この使い方での挟み付けに於いては、裏押えとなる側に成した両脇の切り欠きが、表押えをつまみ上げる上で都合が良い。即ち、挟み口を引き広げて挟み付けることができる。
【００７７】
図１７(２)は、図１６(２)に示した状態、即ち、縦２本に延びる側を、外蓋を押える側（表押え）として使用した例を示すものである。
この使い方での挟み付けに於いては、裏押えとなる側を押し下げて（挟み付け口を押し広げて）挟み付けることができる。因みに、図１６(２)のかたちで使用する場合は、いずれの部分を押し下げるにしても容易である。
【００７８】
図１６、１７では、封緘具の形態によっては、どちら側を表押え、あるいは裏押えとして使用しても良いことを説明した。
因みに、図５、６、７、８に示すものの場合は、それぞれが此の形態（あるいは此の機能）を有している。
【００７９】
図１８について説明する。
図９、１０、１１、１２、１４に示した封緘具が、裏押えに対して表押えが縦長く延びるものであるのに対し、図１８（及び図１９)に示すものは、表押えよりも裏押えの方が縦長く延びるかたちのものである。
この形態のものを挟み付けるには、先ず、裏押えの先端（表押えよりも突き出ている部分）を段ボール箱の抜き穴に差し込み、その上で、表押えをつまみ上げて（即ち、挟み口を引き広げるかたちで）挟み付けるのが良い。
図１８(１)は、斜視図である。図１８(２)は、裏側から見た正面図である。図１８(３)は、側面図である。
図１８に示すものは、表押えの両脇部分の横幅を、つまみ上げ易いように、裏押えよりも僅かに幅広にしているものである。
【００８０】
図１９は、図１８に示したものを、線材で成した（置き換えた）ものである。
尚、図１１で説明したことと同様に、裏押えの先端を尖ったかたち（突き刺せるかたち）にするのも良い。
図１９(１)は、斜視図である。図１９(２)は、側面図である。
【００８１】
因みに、異なった素材のものに置き換える、あるいは、線材で成したものをプラスチック成形で成すものに置き換えるなどは任意である。尚、その場合、相応に様態の異なったものになるが、あるいはプラスチック成形で成すことにより、部分部分を平たく、あるいは面を成すなど、様態を変えることができるが、本封緘具の機能をもつものであれば、本請求範囲に含むものとする。
【００８２】
図１９に示すものに類似したものに、特許文献９のものがある。特許文献９の特徴は、内蓋を探り捉え得るに足る長さとして、縦長く突き出た部分（下挟持部材２の先端部２Ａ）をもたなければならないものである。また、上挟持部材１（外蓋を押える側）は、四辺形（の面）を成した部分だけで成るが、本封緘具の場合は、表押え（外蓋を押える側）は、縦に延びたかたちの部分と、横に延びたかたちの部分とを有して成る。尚、横に延びたかたちの部分は、縦横に張るかたち、即ち、面を以って成るものである。
【００８３】
封緘具は、２個を使用して、段ボール箱の向こう側と手前側の両端に挟み付ける（取り付ける）のも良いし、１個の使用で、段ボール箱の一方の端に挟み付ける使い方でも良い。
また、上端寄りと下端寄りの両方に抜き穴を設けておき、天蓋に限らず、底蓋についても封緘具を用いるのも良い。
尚、抜き穴は、使用する封緘具との見合いに基づいて、その大きさ、かたち、数は任意に設定して良い。尚、抜き穴は、大は小を兼ねるものになるが、過大にならないことが望ましい。
【００８４】
段ボール箱は、繰り返し使用すると、内蓋が箱内に垂れ下がるようになり、内蓋を押える部分（の先端）が突っ掛かるようになる。「突っ掛かり」を和らげる対策として、封緘具について、内蓋を押える部分（裏押え）の先端を、僅かに、外側に反り返ったかたちにするのも良い。
【００８５】
封緘具について、以上に説明した。
以下に、封緘具の「出っ張り（外蓋を押える部分の出っ張り）」を治めるための部材、あるいは該部材を付帯する段ボール箱について説明する。
【００８６】
図２０(１)は、外蓋の表面に付帯させる部材である。
本部材は、段ボール片あるいは段ボール片に代わるような軽い板材を用いるのが良い。
【００８７】
図２０(１)に示す部材は、使用する封緘具の出っ張りの高さ（厚さ、あるいは太さ）に見合う厚みの板を使用し、封緘具が取り付く部分を切り欠いたものである。図２０(２)は、外蓋の表面に該部材を張り付けた状態を示したものである。図２０(３)は、封緘具（図５に示したもの）を以って、蓋を閉じる様子を示したものである。
【００８８】
因みに、該部材は、「荷扱いをする上で、支障にならない程度の形状あるいは大きさであれば良い」とするものである。また、切り欠きのかたちは、任意にデザインしたかたちであっても良い。その他に、封緘具が取り付くため以外の切り欠き（例えば、内容物の見出し書きをセットするための切り欠きなど）を設けても良い。
【００８９】
図２１について説明する。
図２０に示したものが、２枚の部材を、２枚（一対）の外蓋に別々に張り付けるものであるのに対し、図２１(１)に示すものは、１枚の板材（段ボール片あるいは段ボール片に代わる板材）を以って、一対の外蓋を押えるものである。
１枚の板材を、一対の外蓋に張り付ければ、それは封緘する（蓋を閉じる）ことを意味する。即ち、図２１に示すものは、封緘の証しを兼ねるもので、封緘する時点で外蓋に張り付ける使い方をするものである。封を開くときは、一対の外蓋の合わせ目の位置に沿ってカット（開封）する。封緘の証しを確かにする使い方である。開封した段階では、図２０(２)と同じ状態になり、同じ使い方ができるものになる。
即ち、図２１は、１つの利用形態を示したものでもある。
【００９０】
図２０で示した部材と、図２１で示した部材は、切り欠きのかたちが異なっている。切り欠きのかたちは、例えば、同じ封緘具を使用する場合であっても、同じである必要はない。また、封緘具のかたちと一致する必要もない。任意のデザインで良いということである。外蓋の表面が、荷扱いをする上で支障のない程度に均されていれば良いと云うことでもある。
尚、切り欠く部分を、切り欠くことができるようミシン目を入れるなどしておき、開封する時点まで切り外さずに残しておくのも良い。
【００９１】
図２２について説明する。
図２０、２１に示したものが、段ボール箱本体と切り離して成した部材であるのに対し、図２２に示すものは、段ボール箱本体と一枚つづきの板材で成される部材（あるいは部分）である。
（ａ）同部材は、外蓋を延長した部分（延長部）を以って成す、
（ｂ）延長部は、使用する封緘具に対応して、封緘具が取り付く部分あるいは付け外しするための所要部分に切り欠きを成し、
（ｃ）外蓋の外側に（折りたたんで）張り付けられ或いは付け合わされ、出っ張りを収め得るかたちに形づくられる。
【００９２】
図２２(１)は、外蓋に延長部を設け、延長部に切り欠きを成していることを説明する図である。
図２２(２)は、延長部を外蓋(Ｇ2)に張り付けて完成した状態を示す図である。
【００９３】
段ボール箱の別部材として成すもの（図２０、２１に示したもの）は、段ボール箱を形成する板材（の厚み）と関係なく、使用する封緘具の出っ張りに見合った厚みの板材を使用することができる。また、箱材として段ボールを使用しない箱に適用することができるが、段ボール箱と一体に成す場合（図２２に示すものの場合）の部材は、箱本体に使用した板材と同じ厚みの板材になる。故に、箱材として段ボールを使用していない場合には、適さない方法でもある。
繰り返し使用する段ボール箱は、強度を考慮して、厚めの板材を使用することになる。図２２の方法で成す場合、不要に厚みの厚い部材となる可能性があるので、勘案することが大切である。
【００９４】
図２０、２１、２２は、図１に示した形態の段ボール箱に付帯させる部材を示した。段ボール箱（の蓋の形態）の違いによっては、異なる形態のものになる。また、本部材は、使用する封緘具の違いによって、相応に様態（切り欠きのかたち）の異なるものになる。
然し、使用する封緘具について、その大きさ（輪郭）、および厚さ（あるいは太さ）などを標準化することによっては、例えば、図５、６、７、８、９、１０、１２、１４、１６、１８、１９に示した全ての封緘具に適切に対応し得るものになる。
【００９５】
本部材と封緘具の対応関係は、同時に封緘具と段ボール箱（に施す抜き穴）との対応関係を伴うものでもある。使用する封緘具の内蓋を押える部分（裏押え）が、１穴の抜き穴で良いものか、２穴の抜き穴を要するものか、であるが、どちらかに統一することも出来るが、どちらにも対応できる抜き穴を有するものにしても良い（即ち、３穴の抜き穴を有するものにするのも良い）。このことは、任意に選択して良い。
【００９６】
図２３、２４に示したものは、本出願とは異なる封緘具（特許文献８、９、１０のもの）に対応するものである。即ち、２枚（一対）の外蓋の合わせ目から挟み付ける封緘具に対応する部材である。
因みに、図２３、２４に示す部材は、特許文献１０の封緘具を使用する場合を例にした切り欠きのかたちを示したものである。
図２３は、図２０に対するものとして示したものである。即ち、使用する封緘具の形態が異なることから、それに対応して切り欠きのかたち、あるいは切り欠きの位置を変えて示したものである。同様に、図２１に対するものを成すのも良い。同様に、図２４は、図２２に対するものとして示したものである。
斯様に、封緘具の形状形態、あるいは使用形態の違いに対応して成すことができることを説明するものである。
【００９７】
本発明（本部材）は、出っ張りを治めるための方法を含め、段ボール箱の違い、使用する封緘具の違いに係りなく請求範囲とするものである。
【００９８】
図２５について説明する。
図２５（本段ボール箱）は、出っ張りを治めるための構成として、外蓋に延長部を設け、該延長部を、外蓋の内側に折りたたんで、外蓋を、外側（上側）になる部分と、内側（下側）になる部分の二重の構成にし、封緘具（の表押え）は、内側になる部分を押えることで、外蓋の表面に出ないかたちをとるものである、因みに、折り込み幅（延長部の延長幅）は、任意で良い。
図２５(１)は、折り込む前の状態、図２５(２)は、折り込んだ後の状態を示す図である。
因みに、延長部(Ｇ5)を外蓋の内側に折り込んで使用するものに、特許文献１のものがある。
【００９９】
特許文献１のものは、外蓋の延長部を内側に折り込んで二重折構造にしただけのものであって、封緘具を挟み付け難い上に、封緘状態（封緘しているか、いないか）が一見で確認し難いなど、前記したように多くの問題がある。
【０１００】
本発明のもの（本部材）は、延長部(Ｇ5)を外蓋の内側に折り込んだだけのものでなく、外蓋の外側（上側）になる部分（の長手方向の端）に切り欠き(Ｋ)を有するものである。即ち、封緘具の挟み付けを容易にするための切り欠きを有したものである。切り欠きは、挟み付けを容易にするためだけでなく、封緘状態を反対側から見ても一目で確認することができる。これは、荷扱いをする上で重要なことである。
【０１０１】
図２５に示した切り欠きは、封緘具を取り付ける（挟み付ける）に際して、表押えの先端を、該段ボール箱の外蓋の内側（下側）となる部分の縁に押し当て、挟み付け口を押し広げることができるよう、表押えの先端を押し当てるための部分として、外蓋の外側（上側）になる部分の縁（長手方向の端）を切り欠いたものである。
【０１０２】
図２６は、図２５(２)に示した段ボール箱に、図７(５)に示した封緘具を以って、蓋を閉じる様子を示すものである。
因みに、図７(５)に示したものは、図２５に示した形態の段ボール箱に適用するために、図７(３)に示したもの（基本のかたちのもの）を変形して成したものである。変形に依って、内蓋と外蓋を挟み押えることと併せて、向い合う外蓋と外蓋とを寄せ合わせるバネも働くものにした。
【０１０３】
因みに、延長部を内側に折り込む形態のもとで、即ち、内側になる部分を外側になる部分に貼り合わせていない状態のもとで、その外側（上側）になる部分に設ける切り欠きは、切り欠きの位置あるいは切り欠きの大きさによっては（図２５に示す切り欠きの場合は）、内側（下側）になる部分に働く封緘具の作用（蓋を閉じるための挟み押える作用）に対する押え受ける耐性、あるいは押え受ける効果を弱めることになるので、切り欠きの大きさ（深さ）は、できるだけ小さめにしておくことが望ましい。即ち、切り欠きは、封緘している状態が一目で確認できる程度、あるいは外蓋を押える封緘具の先端部分が、押し当て得る程度に抑えた大きさ（小さめの切り欠き）にするのが良い。
【０１０４】
上記したように、図２５、２６で説明したものは、外蓋の延長部(Ｇ5)を外蓋(Ｇ2)の内側（下側）に折り込んで、外蓋を二重にした状態で使用するものであるが、延長部(Ｇ5)を、外蓋(Ｇ2)に張り付けたものにする、あるいは付け合せたものにするのも良い。
【０１０５】
延長部を外側に折り曲げて成すものについて、図２２に示すかたちを、図２４に示すかたちに変えたように、使い方あるいは形態の異なる封緘具を使用する場合には、切り欠きの形あるいは切り欠きの位置を変えて成すことができることを説明した。
同様に、延長部を内側に折り曲げて成すものについても、図２５のものに限らず、切り欠きの形あるいは切り欠きの位置を変えて、本出願とは異なる封緘具（例えば、特許文献８、９、１０）に対応するものを成すことができる。
【０１０６】
図２７は、図２５に成したかたちを、形態の異なった段ボール箱（外蓋が１枚でなる箱）に成した例で、段ボール箱（の蓋の形態）が異なる場合であっても、本発明が適用できることを説明するものである。
図２７(１)は、外蓋の延長部を内側に折り込む前の状態、図２７(２)は、内側に折り込んだ後の状態を示す図である。
尚、図２７(２)では、本発明の封緘具でないもの（コ字状に折り曲がった一般的なもの）を使用した例を示した。
斯様に、段ボール箱に組み合わせる封緘具は、限定あるいは特定しているものでなく、任意の形状形態ものであって良いことを説明するものでもある。
【０１０７】
図２５、２７に示す形態のものは、外蓋の延長部を内側に折り込むものであるから、製箱に於いては、内側に折り込む段ボール板の厚みに相当する分だけ、外蓋の付け根の折り曲がり位置よりも、内蓋の付け根の折り曲がり位置を低くしておくことが求められる。
【０１０８】
図２８について説明する。
図２０、２１で外蓋の表面に張り付けて（貼り付けて）使用するものについて説明した。これに対して、図２８に示すものは、使用する都度、外蓋の表面に添い合わせて用いるもの（についての一例）である。
図２８(１)は、使用する封緘具の出っ張りの高さ（厚さ、あるいは太さ）に見合う厚みの板を用い、封緘具が取り付く部分を、出っ張りを治める（あるいは収める）に足る凹み(Ｌ)を成した部材である。図２８(２)は、本部材を一対の外蓋の上に添い合わせ、封緘具を以って蓋を閉じる様子を示す図である。
【０１０９】
本部材の場合は、それ自体も、封緘具によって外蓋の表面に押え付けられ、据えられるものである。
図２１では、切り欠いたかたちを示したが、図２８では凹んだかたち、即ち、封緘具の出っ張りが治まるかたちとともに、本部材自体が、留め押えられるかたちを成すものである。
凹んだかたちとは、板厚の内に封緘具の出っ張りを治める（あるいは収める）かたちであって、波板のような板材を用いても良いし、段ボードの如きもの（プラスチック素材で成した段ボール板で梯子状の断面をもつもの）を用いるのも良い。
尚、この部材は、折り曲がり難い（あるいは撓り難い）板材を用いることが大切である。
【０１１０】
因みに、図２８(１)に示す形態のものも、図２１のものと同じ用い方をすることができる。但し、その使い方をする場合は、段ボール片あるいは段ボール片のように軽くてカットし易い素材の板を用いることが大切である。
【０１１１】
図２９について説明する。
図２９に示すものも、図２８(１)に示したものと同じく、封緘の都度、段ボール箱に添い合わせて使用するものである。
図２８に示した部材が、別個の封緘具を使用して外蓋に添えるものであるのに対し、図２９に示すものは、予め、封緘具と組み合わせにした（セットにした）ものである。
【０１１２】
図２９で使用する板部材は、段ボードの如きに上板と下板とが段を成し、上板と下板との間に段間（空間)を設け、段間に抜き差し（スライド)させるかたちで、封緘具を組み合わせたものである。
図２９は、一例を示したものであって、封緘具が板面に出っ張りとならないこと、及びスライドするかたちに組み合わされることを前提として、任意の形態であって良い。
因みに、図２９で組み合わせている封緘具(Ｐ)は、図５に示したものを足長く（変形）したもので、図３０(１)に示すものである。
【０１１３】
図３０は、図２９に示した部材（板部材）に組み付ける封緘具を説明するものである。
組み合わせる封緘具は、格別のものである必要はないが、スライドさせるかたちとして足長にすること、また、不要に抜け外れないようにすることが大切である。
図３０(１)に示すものは、図５に示したものを足長く（変形)したものである。図３０(２)に示すものは、図６に示したものを足長く（変形）したものである。図３０(３)に示すものは、コ字状に折り曲がった一般的な形態のものである。格別の形態のものでなくても良いことを説明するものである。
図３０(１)(２)(３)は、それぞれ１つの例として示したものである。
【０１１４】
図３１は、図２８、あるいは図２９に示した部材（外蓋に添い合わせて使用する場合のもの）の裏側面について説明するものである。
裏側面は、ワンタッチで外蓋の上に据わるためのガイドとなるかたち、また、ずり動かないようにするためのかたちとして、図に示した如く、「引っ掛かり」のかたちを設けることが肝要である。
【０１１５】
因みに、図３１(１)は、２枚の外蓋の合わせ目に嵌まるかたちの出っ張り(Ｖ1)を設けたものである。図３１(２)は、段ボール箱の左右の縁に引っ掛かる折り曲がり(Ｖ2)を成したものである。これらのかたちは特定するものでなく、例えば、段ボール箱側に穴（あるいは凹み）を設け、部材側に突起を設けて組み合うものにしても良い。
因みに、外蓋に添い合わせて使用する部材は、上記したように、適切に添い合わせるため、あるいは、ずり動かないようにするための仕掛けを成しておくことは大切な要件である。
但し、図２８に示すものについて、図２１のものと同じ用い方をする場合は、図３１で説明した仕掛けは不要である。
【０１１６】
図３２は、出っ張りの周辺をなだらかに均すための部材（張り付け部材）の一例を示すものである。
因みに、図３２は、図５に示した封緘具を使用する場合を例にしたかたちである。
図３２は、出っ張りを収める部分を、図２８と同様に凹んだかたちにしているが、図２０(１)、２１(１)と同様に切り欠いたかたちにするのも良い。
尚、材質、形状、形態、デザインは任意に決めて良い。
【０１１７】
図３３は、図３２に示した部材を、段ボール箱に張り付けた状態を示すものである。
【０１１８】
図３４は、出っ張りの部分と、その周辺を滑らかに均すための部材（張り付け部材）の一例を示すものである。
因みに、図３４は、図５に示した封緘具を使用する場合を例にしたかたちである。
図３４に示したかたちは、袋状にしものである。袋状でなくても、外蓋に張り付けた（あるいは貼り付けた）状態に於いて、封緘具の足（外蓋を押える部分）が収まるものであれば良い。
実施例では、押しつぶされても柔軟に屈して、形が元に戻る板材を使用した。紙で成すのも良い。
因みに、材質、形状、形態、デザインは任意に決めて良い。
【０１１９】
図３５は、図３４に示した部材を、段ボール箱に張り付けた状態を示すものである。
【０１２０】
図３５は、図３４に示したものを４箇所に張り付けた状態を示したが、図３４に示したものを、横繋ぎに２連にして（一対にして）手前側と向こう側の２箇所に張り付けるものにしても良いし、縦繋ぎに２連にして、左側と右側の２箇所に張り付けるものにしても良い。更には、２連のものを１連のものにして張り付けるのも良い。
因みに、横繋ぎに２連にしたもの、及び１連にしたものを張り付けることは、封緘する（蓋を閉じる）ことでもあり、然様な使用方法をとる場合に適用するかたちである。
その場合は、開封する（蓋を開ける）ときに、外蓋の合わせ目に沿ってカットする（左右に切り分ける）ことになる。
この使用方法は、図２１で説明したことと同じである。
【０１２１】
図３２〜３５を以って説明した部材は、段ボール箱（の蓋）の大きさに係りなく使用できる利便性がある。
【０１２２】
図３２〜３５で説明したかたちは、図５に示した封緘具を使用する場合を例にしたものである。使用する（組み合わせる）封緘具によって、「均しの形態あるいは様態」あるいは「被せる形態あるいは様態」は異なるものになる。
図３４、３５で説明したことは、図３２、３３でも同様である。
尚、請求項で「封緘具を取り付ける部分とその周辺を…」の記載をしたが、「周辺」の範囲（広さ）は、限定しているものではない。
【０１２３】
図３６について説明する。
図３６は、出っ張りを均すためのものでなく、出っ張りが生じない状態を成すものである。
本発明は、外蓋の板厚の内に、封緘具の外蓋を押える部分を差し込んで、外蓋を押えることができるよう、外蓋の板厚の内に差し込み穴を設けた段ボール箱である。
そのかたちとして、図３６(１)のように切り欠き、図３６(２)に示す如きの、コ字状に折った枠部材を嵌め付けて、図３６(３)に示す如きに、外蓋の板厚の内に差し込み穴を設けたものである。
差し込み穴(Ｇ3)を成すための切り欠きの部位は、任意に決めて良い。また、コ字状の枠部材を外蓋の長手方向の端に嵌め付けるかたちで、任意の位置に差し込み穴を設けるのも良い。
【０１２４】
因みに、コ字状の枠部材は、嵌め付けた状態に於いて、それ自体が外蓋の上に出っ張りとならないよう或いは段差をつくらないよう、その縁をなだらかにつくること、あるいは縁沿いにガムテープを張り付けて滑らかにするなど、対策をとることが肝要である。
【０１２５】
図３６は、差し込み穴を設ける方法の一例を示したものであって、必ずしもコ字状の枠部材を用いて成すものでなくても良い。
【０１２６】
図３７は、図３６(３)に示した段ボール箱に、図７(７)に示した封緘具を以って蓋を閉じる様子を示すものである。
因みに、図７(７)に示したものは、図３６(３)に示した形態の差し込み穴に適用するために、図７(３)に示したもの（基本のかたちのもの）を変形して成したものである。即ち、使用する封緘具を、図３６が成した差し込み穴に差し込み易いかたちに成し、更に、向い合う外蓋と外蓋を寄せ合わせるバネも働くものにした。
【０１２７】
図３８(１)は、図３６(２)に示した枠部材(Ｇ6)の変形で、向い合う外蓋の片方の側に嵌め付ける部材として、２枚の外蓋を押える形態を成したもの(Ｇ7)である。よって、単なるコ字状に折れる部材でなく、部材そのものに、差し込み穴を有するものにした。
図３８(２)は、図３８(１)に示した枠部材を取り付け、段ボール箱の外蓋の板厚の内に差し込み穴を設けた状態を示すものである。
図３８は、１つの差し込み穴を設けた例であるが、２つの差し込み穴を設けても良い。
蓋を開けるに於いては、部材を取り付けた方の蓋を先に開いてから、もう片方の蓋を開くものになる。蓋を閉じるに於いては、部材を取り付けた方を後から閉じるという使い方になる。
【０１２８】
図３９は、図３８(２)に示した段ボール箱について、図７(３)に示した封緘具を以って蓋を閉じる様子を示すものである。
【０１２９】
外蓋の板厚の内に差し込み穴をもつための方法、手段は多様にあり、本請求範囲はそれらを含むものである。
【０１３０】
段ボール箱と封緘具との組み合わせについて説明する。
段ボール箱と組み合わせる封緘具は、図５〜１９に示したうちのどれでも良いし、場合によっては一般的な留め具であっても良い。即ち、段ボール箱と封緘具との組み合わせは、任意の選択によるものであって良い。組み合わせのかたちを標準化して複数の形態の封緘具と組み合うものにしておくのも良い。
【０１３１】
本明細書は、天蓋側を閉じる説明に終始したが、底蓋側についても同様であって良い。
また、外蓋の表面に出っ張る「出っ張り」を治めることの説明に終始したが、用途によっては、内蓋の内側（外蓋に接する反対面）に出っ張る「出っ張り」が、箱内に容した物品に損傷あるいは損害を及ぼす可能性がある。その対策として、出っ張る部分が、箱内に容する物品に直接触れないよう、囲う或いは被うなどの方法により治める措置をとると良い。
【０１３２】
段ボール箱を形成する板材（段ボール板）は、板厚の内に、中紙（波状に折った紙）が成す板筋（板目、筋目）をもっている。この板筋を横断するかたちに押えると、押えに耐える強度は強く働くが、板筋に沿ったかたちに押えると、弱い（折れ易い）ものになる。
それ故に、場合（用いる封緘具の違いなど）に依っては、内蓋を保護あるいは補強あるいは強化することが求められる。
本発明は、繰り返し使用する段ボール箱を念頭にしたものである。依って、必要により「内蓋」および「抜き穴」について、保護あるいは補強あるいは強化する措置を講ずると良い。 
因みに、この措置は、上記した内蓋を押える部分の出っ張りを治めるかたちと併せて成すものにすると良い。
【０１３３】
図４０(１)は、内蓋を保護あるいは補強する板部材(Ｈ)に、抜き穴を保護する部分(Ｈ1)を付帯させたものである。因みに、対象とする抜き穴は、図４０(３)に示したかたちの抜き穴(Ｇ4)である。
図４０(２)は、図４０(１)に示したものに、封緘具の出っ張りを治めるためのかたちとして、被うかたち(Ｈ2)を付加したものである。
図４０(３)は、段ボール箱の内蓋の内側面に、図４０(１)に示した部材(Ｈ)を張り付けた状態を示したものである。
【０１３４】
図４１(１)は、内蓋を保護あるいは補強する板部材(Ｈ)に、抜き穴を保護する部分(Ｈ１)と、封緘具の出っ張りを治める部分(Ｈ2)を付帯させたものである。因みに、対象とする抜き穴は、図４１(３)に示したかたちの抜き穴(Ｇ4)である。
図４１(１)は、外側面（内蓋に張り付ける面）を見た図である。図４１(２)は、内側面（箱内に向く面）を見た図である。図４１(３)は、段ボール箱の内蓋の内側面に、該部材を張り付けた状態を示したものである。
【０１３５】
尚、上記の板部材を使用する（張り付ける）場合は、該板部材の厚みの分も考慮して、抜き穴の位置を設定することが求められる。
【０１３６】
図４０、４１で説明したように、抜き穴の形状によって、あるいは抜き穴の数によって、抜き穴を保護するかたちは異なったものになる。また、そのかたちは、様々な様態をとることができる。
図４０、４１で示した形態は、一例として示したものである。尚、内蓋を保護する、あるいは補強する板部材の大きさやかたちは、任意に決めて良い。また、封緘具の出っ張りを治めるかたちも任意に決めて良い。
即ち、本部材(Ｈ)、及び抜き穴を保護する部分(Ｈ1)、及び封緘具の出っ張りを治める部分(Ｈ2)のかたちは、図４０、４１に示したものに限るものではない。
【０１３７】
内蓋の内側に出っ張る「出っ張り」を治める部分のかたちは、同時に、封緘具を挟み付ける際に於いて、封緘具の内蓋を押える部分が進入するためのガイドとなるよう、封緘具が縦方向に真っ直ぐに進入する（挟み付く）ための機能を兼ねるものにすると良い。若しくは、該ガイドとして、板部材(Ｈ)に、真っ直ぐに進入するためのレールになるような部分（あるいはかたち）を備えるのも良い。
【０１３８】
封緘具の出っ張り（外蓋の表面に生ずる出っ張り）を収める措置を講ずることによって、出っ張りが引っ掛かって封緘具が抜け外れてしまう（あるいは抜き外されてしまう）ことの心配は払拭されるが、それはそれとして、内蓋を保護あるいは補強する部材（と封緘具）との組み合わせに於いて、不要に抜け外れ難いものにするのも良い。即ち、適度の摩擦抵抗が働くかたちで組み合う部分（あるいは仕組み）を有したものにするのも良い（図面省略）。
【０１３９】
段ボール箱の内蓋は、開け閉めを繰り返すうちに、箱内に垂れ下がるので、適切な個所あるいは部分に、内蓋が垂れ下がるのを防ぐ措置、あるいは内蓋を支える措置を備えると良い。
【０１４０】
図４２について説明する。
図４２は、内蓋が箱内に垂れ下がるのを防ぐための支え（あるいは突っ支え）を備えた段ボール箱を示すものである。
外蓋の付け根寄りの部分に切り込み(Ｅ)を設け、切り込んだ部分を外側から箱内に折り込んで、内蓋が垂れ下がらないための突っ支えとするものである。
尚、切り込みだけを入れておき、必要によりあるいは使用する段階で箱内に折り込んで使用するのも良い。
因みに、この切り込んだ部分を箱内に折り込んだとき、外蓋の縁（付け根寄りの部分）が、窪み、あるいは凹みとなり、この窪みあるいは凹みが、荷扱いする上での手懸り（引き手）になる。
【０１４１】
上記は、内蓋が垂れ下がるのを防ぐ対策の一例であって、例えば、図４２で示したかたちとは逆に、内蓋側に突っ掛ける部分を設け、外蓋の付け根寄りの部分に、それを受け止める部分（切り抜き）を設けるのも良い。この場合にも、図４２で説明した引き手の機能も同様のかたちで実現することができる。
または、外蓋の付け根寄りの箱内側に、突っ支えを設ける（あるいは備える）のも良いし、内蓋の付け根寄りの箱内側に、突っ支えを設ける（あるいは備える）のも良い。
または、前記した内蓋を保護あるいは補強するための板部材(Ｈ)に、内蓋の付け根寄りの箱内側に突っ支うかたち（の部分）を備えるのも良い。
【０１４２】
上記したように、内蓋が垂れ下がるのを防ぐ対策は多様にあり、その方法手段は限定するものではない。
本発明は、内蓋が、箱内に垂れ下がるのを防ぐための措置を講じた段ボール箱、あるいは、垂れ下がるのを防ぎ得る形態あるいは構成を有した段ボール箱について請求するものである
尚、引き手とするかたちは、上記した如きに、序で（ついで）のかたちでなく、その目的のために成すかたちとして設けるのも良い。
因みに、引き手は、天蓋寄りの部位に限らず、底蓋寄りの部位に設けるのも良い。
【０１４３】
本明細書で説明する図は、基本のかたちを示した。基本的な機能を損なわない限りに於いて、任意の形状、形態のものにしても良い。また、任意の形状、形態の部分を加えても良い。本発明は、然様なものを含めた対象を請求範囲とするものである。
【０１４４】
本発明は、全体の図（図１〜４２）を通して、発明の全容を説明しているものであって、個々の図で説明する具体的な技術内容によって、請求項に記載する技術内容は限定されるものではない。
【産業上の利用可能性】
【０１４５】
本発明の主体は、蓋を閉じる封緘具の「出っ張り」が、他の箱に引っ掛からないように装備した段ボール箱（と封緘具との組み合わせ）である。
段ボール箱は、繰り返しの「荷扱い」ができ、適宜に「蓋を開閉」することが出来る。また、臨機に「組み立てて使用」することにも適している。
【０１４６】
本段ボール箱は、通い箱あるいは保管箱あるいは小物入れとして便利に使用できる。
【符号の説明】
【０１４７】
Ｇ     段ボール箱
Ｇ1    内蓋
Ｇ2    外蓋
Ｇ3    差し込み穴
Ｇ4    抜き穴
Ｋ     切り欠き
Ｌ     凹み
Ｐ     封緘具
Ｐ1    連結部
Ｐ2    表押え
Ｐ3    裏押え
Ｐ4    窓
Ｗ     部材（均し部材、張り付け部材）
Ｖ     部材（封緘部材、添い合わせ部材）
Ｈ     内蓋を保護する部材
【図１】
2013082481.tif 000003
【図２】
2013082481.tif 000004
【図３】
2013082481.tif 000005
【図４】
2013082481.tif 000006
【図５】
2013082481.tif 000007
【図６】
2013082481.tif 000008
【図７】
2013082481.tif 000009
【図８】
2013082481.tif 000010
【図９】
2013082481.tif 000011
【図１０】
2013082481.tif 000012
【図１１】
2013082481.tif 000013
【図１２】
2013082481.tif 000014
【図１３】
2013082481.tif 000015
【図１４】
2013082481.tif 000016
【図１５】
2013082481.tif 000017
【図１６】
2013082481.tif 000018
【図１７】
2013082481.tif 000019
【図１８】
2013082481.tif 000020
【図１９】
2013082481.tif 000021
【図２０】
2013082481.tif 000022
【図２１】
2013082481.tif 000023
【図２２】
2013082481.tif 000024
【図２３】
2013082481.tif 000025
【図２４】
2013082481.tif 000026
【図２５】
2013082481.tif 000027
【図２６】
2013082481.tif 000028
【図２７】
2013082481.tif 000029
【図２８】
2013082481.tif 000030
【図２９】
2013082481.tif 000031
【図３０】
2013082481.tif 000032
【図３１】
2013082481.tif 000033
【図３２】
2013082481.tif 000034
【図３３】
2013082481.tif 000035
【図３４】
2013082481.tif 000036
【図３５】
2013082481.tif 000037
【図３６】
2013082481.tif 000038
【図３７】
2013082481.tif 000039
【図３８】
2013082481.tif 000040
【図３９】
2013082481.tif 000041
【図４０】
2013082481.tif 000042
【図４１】
2013082481.tif 000043
【図４２】
2013082481.tif 000044